(57)【特許請求の範囲】
【請求項１】
音響信号の音量レベルを調整して出力する音響装置であって、
利用者の音量レベルの操作を受け入れる音量レベルスイッチと、
音響信号の音量レベルを調整する音量ボリューム部と、
音量レベルスイッチの状態変化に対応する音量レベルの変化量が所定の量より大きい場合に、音量レベルスイッチの状態変化前の状態に対応する音量レベルから音量レベルスイッチの状態変化後の状態に対応する音量レベルまで、音量レベルが漸次的に変化するよう、音響信号の正弦波の振幅が最大から最小に移動する間で正弦波の振幅を所定単位ずつ加減することにより、音量レベルの調整の量を制御する制御部とを有することを特徴とする音響装置。
【発明の詳細な説明】
【０００１】
【発明の属する技術分野】
本発明は、MD装置や、ＣＤ装置などの音響装置に関し、特に、音響装置において音量を制御する技術に関するものである。
【０００２】
【従来の技術】
従来の音響装置における音量レベルの制御は、一般的には次のように行われていた。
【０００３】
すなわち、予め、音量ボリュームスイッチの位置と、音響装置にて音響信号に施すゲインのゲイン量とを対応づけておく。そして、定期的に音量ボリュームスイッチの位置を監視し、音量ボリュームの位置が前回の位置と変化した場合には、その変化した位置に対応づけらているゲイン量に、音響装置で施すゲインのゲイン量を変化させる。
【０００４】
ここで、一般的に、音量ボリュームの位置の変化と、ｄｂで表したゲイン量の変化はリニアには対応づけない。たとえば、中音量域で音量ボリュームスイッチの位置の変化に対してゲイン量をリニアに変化させ、小音量レベル側では音量ボリュームスイッチの位置の変化に対してゲイン量を大きく変化させ、大音量レベル側では音量ボリュームスイッチの位置の変化に対してゲイン量を小さく変化させるといったように、利用者が、感覚的に違和感なく所望の音量レベル操作を行えるよう定めている。
【０００５】
【発明が解決しようとする課題】
今、利用者によって音量ボリュームスイッチが操作された場合を考える。この場合において、音量ボリュームスイッチの操作に伴うゲイン量の変化が大きい場合、音響信号の大きさは図５のように変化する。図中下向きの矢印で示した時点が、音響装置がゲイン量を変化させた時点を示している。
【０００６】
図より分かるように、ゲイン量の変化が大きい場合には、音響信号の大きさが急激に変化するため、これが聞き苦しいノイズとして出力されてしまう。
【０００７】
そこで、本発明は、音響装置におけるゲイン量変化に伴い発生するノイズを抑止することを課題とする。
【０００８】
【課題を解決するための手段】
前記課題達成のために、本発明は、
音響信号の音量レベルを調整して出力する音響装置であって、
利用者の音量レベルの操作を受け入れる音量レベルスイッチと、
音響信号の音量レベルを調整する音量ボリューム部と、
音量レベルスイッチの状態変化に対応する音量レベルの変化量が所定の量より大きい場合に、音量レベルスイッチの状態変化前の状態に対応する音量レベルから音量レベルスイッチの状態変化後の状態に対応する音量レベルまで、音量レベルが漸次的に変化するよう、音響信号の正弦波の振幅が最大から最小に移動する間で正弦波の振幅を所定単位ずつ加減することにより、音量レベルの調整の量を制御する制御部とを有することを特徴とする音響装置を提供する。
【０００９】
このような音響装置によれば、音量ボリュームスイッチの操作に伴うゲイン量の変化が大きい場合に、音量レベルを急激に変化させずに、少しづつ変化させるので、前述したごときノイズの発生を防ぐことができる。
【００１０】
【発明の実施の形態】
以下、本発明に係る音響装置の一実施形態について説明する。
【００１１】
図１に、本実施例に係る音響装置の構成を示す。
【００１２】
図中、１は音量ボリュームスイッチ、２はマイクロコンピュータ、３は音量ボリューム部としての電子ボリューム部、４はオーディオ出力部、５はスピーカー、６はＭＤ再生装置などの音源部、７はメモリである。
【００１３】
このような構成において、電子ボリューム部３は、音源部６から出力された音響信号に、マイクロコンピュータから指定されたゲイン量（減衰量）の減衰を施し、オーディオ出力部４に送る。オーディオ出力部４では、電子ボリューム部３から送られた音響信号を適当な量増幅し、スピーカ５から出力する。
【００１４】
音量ボリュームスイッチ１は回転型のボリュームスイッチであり、３２段階の回転位置を有し、その回転位置はマイクロコンピュータ２より検出可能となっている。メモリ７には、音量ボリュームスイッチの位置と、電子ボリューム部３で施すゲイン量の対応を示すデータと、マイクロコンピュータ２が電子ボリューム部３を制御するためのプログラムが記述されている。マイクロコンピュータ２は、このプログラムを実行し、音量ボリュームスイッチ１の位置に応じた電子ボリューム部３のゲイン量の制御を行う。
【００１５】
以下、その制御の詳細について説明する。
【００１６】
まず、図２に、メモリ７に記憶した、電子ボリューム部３で施すゲイン量の対応を示す。
【００１７】
この例では、音量ボリュームスイッチ１は回転型のボリュームスイッチであるとし、その位置は、図示するように、最小音量レベルに対応する位置0から、時計回りに最大音量レベルに対応する位置３１まで変化するものとしている。そして、位置０には、-∞dbのゲイン量が、位置１には-６９dbのゲイン量が、位置３１には０ｄｂのゲイン量を対応づけている。また、位置２６から３１の間は位置が一段階時計回りに進むごとにゲイン量が１db大きくなるように、位置８から２６の間は位置が一段階時計回りに進むごとにゲイン量が２db大きくなるように、位置１から８の間は位置が一段階時計回りに進むごとにゲイン量が４db大きくなるように音量ボリュームスイッチ１の位置とゲイン量とを対応づけている。
【００１８】
次に、このような位置とゲイン量の対応に基づいて、マイクロコンピュータ２がメモリ７に記憶したプログラムに従って行う、音量ボリュームスイッチ１の位置に応じた電子ボリューム部３のゲイン量の制御の処理の処理手順を図３に示す。
【００１９】
この処理は定期的に起動される。この処理では、まず、音量ボリュームスイッチ１の位置が前回調べた位置と異なる位置に変化しているかどうかを調べ（ステップ３０１）、変化してなければ処理を終了する。
【００２０】
一方、位置が変化していれば、メモリ７を参照し、前回調べた位置に対応するゲイン量と、今回調べたゲイン量の差を調べ、その差が、予め定めた値以上であるかどうかを調べる（ステップ３０２）。この例では２db以上であるかどうかを調べることにする。
【００２１】
そして、予め定めた値以上でなければ、今回調べた音量ボリュームスイッチ１の位置に対応したゲイン量で、音響信号をゲインするよう指示するボリュームデータを電子ボリューム部３に送る（ステップ３０７）。
【００２２】
一方、予め定めた値以上であれば、前回調べた音量ボリュームスイッチ１の位置に対応するゲイン量から、今回調べた音量ボリュームスイッチの位置に対応するゲイン量まで少しづつ、電子ボリューム部３のゲイン量が変化するように、何回かに分けて、電子ボリューム部３のゲイン量を制御する（ステップ３０３〜３０６）。この例では、１ｄｂづつゲイン量が変化するように制御する。具体的には、たとえば、前回調べた音量ボリュームスイッチ１の位置が３であり、今回調べた位置が４である場合には、対応するゲイン量の差は４ｄｂある。そこで、この場合には、前回の位置３に対応するゲイン量-６１dbから、今回の位置４に対応するゲイン量-５７dbに対応するゲイン量-５７dbまで、１dbづつ４回に分けて電子ボリューム部３のゲイン量を増加させる。この結果、電子ボリューム部３のゲイン量は、-６０db、-５９db、-５８db、-５７dbの順次変化する。
【００２３】
このような処理は、まず、前回の位置３に対応するゲイン量と今回の位置４に対応するゲイン量に対応するゲイン量の差を調節幅とし、これを分割する（ステップ３０３）。具体的には、調節幅を、１dbで割り、１dbづつゲイン量を増加させる制御を繰り返す回数と、各回の制御において電子ボリューム部３にゲイン量を指示するために送るデータを、各回の制御で電子ボリューム部３のゲイン量が、前回の位置に対応するゲイン量から今回の位置に対応するゲイン量まで１dbづつ順次変化するように求め、これを各回の制御で電子ボリューム部３に送る分割ボリュームデータとする（ステップ３０３）。そして、求めた制御の回数、順次分割ボリュームデータを電子ボリューム部３に送り終わるまで（ステップ３０５、３０６）、分割ボリュームデータを電子ボリューム部３に送る処理（ステップ３０４）を繰り返す。
【００２４】
以上の処理によって、利用者によって音量ボリュームスイッチが操作された場合において、音量ボリュームスイッチの操作に伴うゲイン量の変化が大きい場合でも、音響信号の大きさは図４に示すようになめらかにに変化する。図中下向きの矢印で示した時点が、音響装置がゲイン量を変化させた時点を示している。
【００２５】
図５との比較より理解されるように、本実施形態によれば、ゲイン量の変化が大きい場合にも、音響信号の大きさが急激に変化せず、聞き苦しいノイズが発生することもない。
【００２６】
以上、本発明の一実施形態について説明した。
【００２７】
なお、以上の実施形態では、回転型の音量ボリュームスイッチを用いる場合について説明したが、これは、利用者の音量レベル操作として、音量レベル増大操作や音量レベル減少操作を受け入れるようなスイッチであっても良い。この場合には、利用者の操作によって指定される音量レベルの段階が、先の実施形態で示した音量ボリュームスイッチの位置に対応するものとして取り扱えばよい。
【００２８】
また、以上の実施形態では、ゲイン量を増加させる場合と減少させる場合の両方について、少しづつゲイン量を変化させる例について示したが、これは、たとえば、ゲイン量を増加させる場合のみ少しづつゲイン量を変化させるようにしてもよい。
【００２９】
【発明の効果】
以上のように、本発明によれば、音響装置におけるゲイン量変化に伴い発生するノイズを抑止することができる。
【図面の簡単な説明】
【図１】音響装置の構成を示すブロック図である。
【図２】音量ボリュームスイッチの位置とゲイン量との対応を示した図である。
【図３】音量制御処理の処理手順を示したフローチャートである。
【図４】音量制御時の音量変化を表した図である。
【図５】従来の音量制御時の音量変化を表した図である。
【符号の説明】
１  音量ボリュームスイッチ
２  マイクロコンピュータ
３  電子ボリューム部
４  オーディオ出力部
５  スピーカー
６  音源部
７はメモリ
【図１】
0003877379.tif 000002
【図２】
0003877379.tif 000003
【図３】
0003877379.tif 000004
【図４】
0003877379.tif 000005
【図５】
0003877379.tif 000006